(57)【要約】【課題】組み立て作業が単純で工程数の少ない、特に贈答箱に適した組み立て箱の蓋構造を提供すること。【解決手段】縦側面板（１５）とそれに連設される耳片（１６）を縦方向の折り曲げ線（ｂ）に沿って折り曲げると共に、耳片（１６）を谷折り線（ｃ）に沿って谷折りし、側面板（１２）とそれに連設される耳片（１６）を折り曲げ線（ａ）に沿って折り曲げ、各耳片を側面板に密着させ、第２側面板（１３）を折り曲げ線（ａ）に沿って折り曲げ、折り曲げた耳片（１６）に被せるように側面板の裏面に重ね、第２側面板の先端に設けられた係止片（１４）が耳片のスリット（ｆ）に係止される。【選択図】図２
2005206181.tif 000002
【特許請求の範囲】
【請求項１】
方形の底面板の相対する二辺にそれぞれ折り曲げ線を介して側面板、第２側面板が順次連設され、
第２側面板の両隅角は切り欠かれて、切り欠かれた先端には係止片が形成され、
さらに、他の相対する二辺にはそれぞれ縦方向の折り曲げ線を介して前記側面板と同じ高さの縦側面板が連設され、
隣り合う各側面板と縦側面板とは折り曲げ線および縦折り曲げ線を介して耳片で連設され、
該耳片は底面板の４隅から略４５°の角度で外方に向けて側面板および縦側面板の略半分の高さにまで達する谷折り線と、該谷折り線の先端と連続する縦方向の折り曲げ線と平行な第２側面板方向に延びる切れ目線により二分され、
縦側面板の耳片と連設する両端縁辺の略中央部分より耳片の谷折り線に向けて、垂線となるスリットが設けられ、
たブランクを、
縦側面板とそれに連設される耳片を縦方向の折り曲げ線に沿って折り曲げると共に、耳片を谷折り線に沿って谷折りし、側面板とそれに連設される耳片を折り曲げ線に沿って折り曲げ、各耳片を側面板に密着させ、第２側面板を折り曲げ線に沿って折り曲げ、折り曲げた耳片に被せるように側面板の裏面に重ね、第２側面板の先端に設けられた係止片が耳片のスリットに係止されることを特徴とする、組み立て箱の蓋構造。
【請求項２】
前記耳片に設けたスリットの谷折り線寄りには、スリットに連続してスリット孔が穿設されていることを特徴とする、請求項１に記載の組み立て箱の蓋構造。
【請求項３】
前記第２側面板の先端縁の略中央には第２切り欠きが設けられていることを特徴とする、請求項１又は２記載に記載の組み立て箱の蓋構造。
【発明の詳細な説明】
【技術分野】
【０００１】
本発明は、組み立て箱の蓋構造に関するものであり、特には、身箱とそれに被せると蓋で構成される贈答箱の蓋構造に関する。
【背景技術】
【０００２】
従来、贈答箱のスタイルとして「身箱」および「蓋」で構成された形式が多く見られる。そのなかで大量生産型の蓋はダンボールによる自動機械貼り（４コーナー貼り）が主流になっているが、小ロットで板紙対応型の贈答箱の蓋としては、手で４辺の側面板（１０２）をそれぞれぞれ内側へ折り込み、隣接する側面板同士を連設している耳片（１０３）を谷折りして一方の側面板方に折り曲げ、側面板に連設する第２側面板（１０４）を側面板に重なるように折り曲げ（折り重ね）、最後に第２側面板の先端縁に連設される折り込み片（１０５）を谷折りして４か所のコーナーで戻らないようにロックさせる形式のものがスタンダードとなっている（図３、図４参照）。
【０００３】
しかしながら、この形式は組み立ての工程数が多く、作業に時間を要しコストアップの要因ともなっている。
【発明の開示】
【発明が解決しようとする課題】
【０００４】
本発明は、手で折り曲げて作製する組み立て箱の蓋構造に関する以上のような問題に鑑みてなされたもので、組み立て作業が単純で工程数の少ない、特に贈答箱用に適した組み立て箱の蓋構造を提供することを課題とする。
【課題を解決するための手段】
【０００５】
本発明の請求項１の発明は、方形の底面板の相対する二辺にそれぞれ折り曲げ線を介して側面板、第２側面板が順次連設され、第２側面板の両隅は切り欠かれて、切り欠かれた先端には係止片が形成され、さらに、他の相対する二辺にはそれぞれ縦方向の折り曲げ線を介して前記側面板と同じ高さの縦側面板が連設され、隣り合う側面板と縦側面板とは折り曲げ線および縦折り曲げ線を介して耳片で連設され、該耳片は底面板の４隅から略４５°の角度で外方に向けて側面板および縦側面板の略半分の高さにまで達する谷折り線と、該谷折り線の先端と連続する縦方向の折り曲げ線と平行な第２側面板方向に延びる切れ目線により二分され、縦側面板の耳片と連設する両端縁辺の略中央部分より耳片の谷折り線に向けて、垂線となるスリットが設けられ、たブランクを、縦側面板とそれに連設される耳片を縦方向の折り曲げ線に沿って折り曲げると共に、耳片を谷折り線に沿って谷折りし、側面板とそれに連設される耳片を折り曲げ線に沿って折り曲げ、各耳片を側面板に密着させ、第２側面板を折り曲げ線に沿って折り曲げ、折り曲げた耳片に被せるように側面板の裏面に重ね、第２側面板の先端に設けられた係止片が耳片のスリットに係止されることを特徴とする、組み立て箱の蓋構造である。
【０００６】
このように請求項１記載の発明によれば、蓋は、縦側面板とそれに連設される耳片を縦方向の折り曲げ線に沿って折り曲げると共に、耳片を谷折り線に沿って谷折りし、側面板とそれに連設される耳片を折り曲げ線に沿って折り曲げ、各耳片を側面板に密着させ、第２側面板を折り曲げ線に沿って折り曲げ、折り曲げた耳片に被せるように側面板の裏面に重ね、第２側面板の先端に設けられた係止片が耳片のスリットに係止される構造からなるので、組み立ての作業手順が比較的簡単で工程が少ない。
【０００７】
また、請求項２の発明は、請求項１の発明において、前記耳片に設けたスリットの谷折
り線寄りには、スリットに連続してスリット孔が穿設されているとを特徴とする、組み立て箱の蓋構造である。
【０００８】
このように請求項２記載の発明によれば、耳片に設けたスリットの谷折り線寄りには、スリットに連続してスリット孔が穿設されているので、第２側面板に設けた係止片をさらに容易にスリットに入れることができる。
【０００９】
また、請求項３の発明は、請求項１又は２の発明において、前記第２側面板の先端縁の略中央には第２切り欠きが設けられていることを特徴とする、組み立て箱の蓋構造である。
【００１０】
このように請求項３記載の発明によれば、第２側面板の先端縁の略中央には第２切り欠きが設けられているので、蓋を分解する際には第２切り欠きに指をかけて引き起こすことにより係止片のスリットからの係止を容易に解除することができる。
【発明の効果】
【００１１】
このよう組み立て箱の蓋構造を用いることにより、簡単に蓋を組み立てることができる。さらに、従来の組み立て式の蓋と比較して用紙の使用量が大きく削減できるという効果がある。
【発明を実施するための最良の形態】
【００１２】
本発明の組み立て箱の蓋構造を一実施形態に基づいて以下に詳細に説明する。  本発明の組み立て箱の蓋構造のブランクは、例えば、図１に示すように、方形の底面板（１１）の相対する二辺にそれぞれ折り曲げ線（ａ）を介して、側面板（１２）、第２側面板（１３）が順次連設されている。第２側面板（１３）の両隅角は切り欠かれており、切り欠かれた先端には係止片（１４）が形成されている。
【００１３】
他の相対する二辺にはそれぞれ縦方向の折り曲げ線（ｂ）を介して側面板（１２）と同じ高さの縦側面板（１５）が連設されている。
【００１４】
隣り合う各側面板（１２）と縦側面板（１５）とは、折り曲げ線（ａ）および縦折り曲げ線（ｂ）を介して耳片（１６）で連設されている。
【００１５】
耳片（１６）は、底面板（１１）の４隅から略４５°の角度で外方に向けて側面板（１２）および縦側面板（１５）の略半分の高さにまで達する谷折り線（ｃ）と、谷折り線（ｃ）の先端に連続する縦方向の折り曲げ線と平行な第２側面板方向に延びる切れ目線（ｄ）により二分されている。
【００１６】
縦側面板（１５）の、耳片（１６）と連設する両端縁辺の略中央部分より耳片の谷折り線（ｃ）に向けて、垂線となるスリット（ｅ）が設けられている。
【００１７】
なお、図示してあるように、耳片（１６）に設けたスリット（ｅ）の谷折り線寄りにスリットに連続したスリット孔（ｆ）を設けても良い。スリット孔（ｆ）を設けることにより、係止片（１４）をスリット（ｅ）に挿入して係止させる際に、スリット（ｅ）への挿入がさらに容易になる。
【００１８】
また、第２側面板（１３）の先端縁の略中央に第２切り欠き（ｇ）を設けることにより蓋を分解する際の第２側面板（１３）のスリットからの係止の解除がさらに容易になる。
【００１９】
つぎに、このブランクを蓋に組み立てる組み立て方について詳述する（図２（ａ）、（
ｂ）参照）。先ず、ブランク両側の縦側面板（１５）とそれに連設される耳片（１６）を縦方向の折り曲げ線（ｂ）に沿って折り曲げる。
【００２０】
同時に耳片（１６）を谷折り線（ｃ）に沿って谷折りすると共に、側面板（１２）とそれに連設され折り曲げた耳片（１６）を折り曲げ線（ａ）に沿って折り曲げ、各耳片を側面板（１２）に密着させる。
【００２１】
側面板（１２）により折り立てられた第２側面板（１３）を折り曲げ線（ａ）に沿って折り曲げ、折り曲げた耳片（１６）に被せるように側面板（１２）の裏面に重ね、第２側面板（１３）の両側先端に設けられた係止片（１４）を耳片のスリット（ｅ）に挿入して係止する。
【００２２】
同様にもう一方の側面板（１２）および第２側面板（１３）を折り曲げ、第２側面板（１３）の両側先端に設けられた係止片（１４）を耳片のスリット（ｅ）に挿入して係止する。このようにしてブランクは蓋（１０）に組み立てられる。
【００２３】
この蓋（１０）は、第２側面板（１３）の両端の係止片（１４）をスリット（ｅ）から外すことにより係止が解除され、側面板（１２）と縦側面板（１５）を押し拡げることにより簡単に分解して平面状に展開することができる。
【図面の簡単な説明】
【００２４】
【図１】本発明の組み立て箱の蓋構造に使用するブランクの一実施例を示す、展開説明図である。
【図２】図１のブランクを組み立てて組み立て箱の蓋構造とする、（ａ）は組み立て途上の斜視説明図であり、（ｂ）は組上がった状態の斜視説明図である。
【図３】従来の組み立て箱の蓋構造に使用するブランクの一例を示す、展開説明図である。
【図４】図３のブランクを組み立てて組み立て箱の蓋構造とする、（ａ）は組み立て途上の斜視説明図であり、（ｂ）は組上がった状態の斜視説明図である。
【符号の説明】
【００２５】
１０‥‥蓋
１１‥‥底面板
１２‥‥側面板
１３‥‥第２側面板
１４‥‥係止片
１５‥‥縦側面板
１６‥‥耳片
１０１‥‥底面板
１０２‥‥側面板
１０３‥‥耳片
１０４‥‥第２側面板
１０５‥‥折り込み片
ａ‥‥折り曲げ線
ｂ‥‥縦方向の折り曲げ線
ｃ‥‥谷折り線
ｄ‥‥切れ目線
ｅ‥‥スリット
ｆ‥‥スリット孔
ｇ‥‥第２切り欠き
【図１】
2005206181.tif 000003
【図２】
2005206181.tif 000004
【図３】
2005206181.tif 000005
【図４】
2005206181.tif 000006